(57)【要約】【課題】着信呼出し回数によって重要度を判断し、切れるまでの呼出し回数が一定回数以下の場合には返信しなようにするため、電話機の表示部に呼出し回数を回数に応じて変化させて表示するようにしていた。このようにしても、返信操作を行ってしまうと、そのまま返信されてしまう。【課題を解決する手段】受信者が返信操作を行なう前に着信呼出し回数確認動作を行ったり、返信操作を行ってしまっても着信呼出し回数に応じて返信可否の問い合わせがあるため、不要に返信が実行されることは防止される。【選択図】　　図１
2004080373.tif 000002
【特許請求の範囲】
【請求項１】
着信呼出し回数を積算・記憶する手段と、着信呼出し回数確認手段と、着信呼出し回数を音声で通知する手段とを具備することを特徴とする電話装置。
【請求項２】
着信呼出し回数を積算・記憶する手段と、着信呼出し回数確認手段と、着信呼出し回数をこの回数に対応する照光式押しボタンにて光学表示する手段とを具備することを特徴とする電話装置。
【請求項３】
着信呼出し回数を積算・記憶する手段と、着信呼出し回数を予め定めた回数と比較する回数比較手段と、この回数比較手段による比較結果に応じて振動通報する手段を具備することを特徴とする電話装置。
【請求項４】
着信呼出し回数を積算・記憶する手段と、着信呼出し回数を予め定めた回数と比較する回数比較手段と、返信操作がなされたときに前記回数比較手段による比較結果に応じて返信可否を通知する手段とを具備することを特徴とする電話装置。
【請求項５】
前記通知手段は、表示画面によりなされることを特徴とする請求項４記載の電話装置。
【請求項６】
前記通知手段は、音声によりなされることを特徴とする請求項４記載の電話装置。
【請求項７】
着信呼出し回数を積算・記憶する手段と、着信呼出し回数を予め定めた回数と比較する回数比較手段と、返信阻止番号を記憶する手段と、発信しようとする電話番号と前記返信阻止番号とを比較する番号比較手段と、この番号比較手段によって同一番号があったときに、前記回数比較手段による比較結果に応じて返信可否を通知する手段とを具備することを特徴とする電話装置。
【請求項８】
前記通知手段は、表示画面によりなされることを特徴とする請求項７記載の電話装置。
【請求項９】
前記通知手段は、音声によりなされることを特徴とする請求項７記載の電話装置。
【発明の詳細な説明】
【０００１】
【発明の属する技術分野】
本発明は着信時の呼出し回数に応じた通報機能並びに返信機能を有する電話システムに関する。
【０００２】
【従来の技術】
特開２０００−３２１１６号公報には、相手方からの着信時のベル音などによる呼出し回数によって、重要度を判断する通信端末が開示されている。すなわち、重要な発信は長時間呼出し続けるということを前提として各種の提案がなされている。呼出し回数が一定以上の発信については重要発信として、呼出し回数並びに着信呼出し番号を記録表示し、着信呼出しが一定回数未満の場合には重要でないとして記録表示を行わないようにしている。また、呼出し回数を３段階に分け、これらの各段階毎に表示画面での点滅周期の速さを変えたり、色表示を変更するようにしたり、文章の表記を変更したりすることも開示されている。
【０００３】
【発明が解決しようとする課題】
上述の例においては、呼出し回数の表示は例えば携帯電話の場合には液晶表示部が小さいこともあり、利用者にとっては、見にくい表示であった。また、このように着信後に返信してはならないレベルの表示がなされているにもかかわらず、返信操作を行ってしまうと、そのまま発信されてしまい、悪質なワン切り電話などの被害を被るおそれもあった。
【０００４】
【課題を解決するための手段】
本発明に係わる実施形態の電話装置は、着信呼出し回数を積算・記憶する手段と、着信呼出し回数確認手段と、着信呼出し回数を音声で通知する手段とを具備することを要旨とする。
【０００５】
本発明に係わる他の実施形態の電話装置は、着信呼出し回数を積算・記憶する手段と、着信呼出し回数確認手段と、着信呼出し回数をこの回数に対応する照光式押しボタンにて光学表示する手段とを具備することを要旨とする。
【０００６】
本発明に係わる他の実施形態の電話装置は、着信呼出し回数を積算・記憶する手段と、着信呼出し回数を予め定めた回数と比較する回数比較手段と、この回数比較手段による比較結果に応じて振動通報する手段を具備することを要旨とする。
【０００７】
本発明に係わる他の実施形態の電話装置は、着信呼出し回数を積算・記憶する手段と、着信呼出し回数を予め定めた回数と比較する回数比較手段と、返信操作がなされたときに前記回数比較手段による比較結果に応じて返信可否を通知する手段とを具備することを要旨とする。
【０００８】
本発明に係わる他の実施形態の電話装置は、前記通知手段が表示画面によりなされることを要旨とする。
【０００９】
本発明に係わる他の実施形態の電話装置は、前記通知手段が音声によりなされることを要旨とする。
【００１０】
本発明に係わる他の実施形態の電話装置は、着信呼出し回数を積算・記憶する手段と、着信呼出し回数を予め定めた回数と比較する回数比較手段と、返信阻止番号を記憶する手段と、発信しようとする電話番号と前記返信阻止番号とを比較する番号比較手段と、この番号比較手段によって同一番号があったときに、前記回数比較手段による比較結果に応じて返信可否を通知する手段とを具備することを要旨とする。
【００１１】
本発明に係わる他の実施形態の電話装置は、前記通知手段が表示画面によりなされることを要旨とする。
【００１２】
本発明に係わる他の実施形態の電話装置は、前記通知手段が音声によりなされることを要旨とする。
【００１３】
【発明の実施の形態】
以下に本発明の実施形態を図を参照して説明する。図１は本発明の第１の実施形態の構成を示す図である。発信者からの着信呼出し信号（１０）が発生すると、この呼出し回数を積算し記憶する着信呼出し回数積算・記憶部（１１）へ入力される。すなわち、発信者が電話を切るまでに何回呼出しを行ったかを記憶する機能を設ける。一方、受信者が呼出し回数確認操作部（１２）にて確認操作を行うと、合成音による音声機能部（１３）により、呼出し回数音声通知部（１４）にて、例えば、「ただいまの呼出し回数は７回でした」のように通知される。受信者による呼出し回数確認操作は、例えば携帯電話機の押しボタンの「＊」を押すことにより実行することができる。
【００１４】
この結果、小さな表示部を有する携帯電話機であっても、表示を見る必要がなく、受信者は音声により正確に呼出し回数を確認することができる。受信者は、この呼出し回数に応じて重要度を判断し、返信の要否を決定する。例えば、３回以下は無視し、４回以上は返信するとした場合には、７回の呼出しを知り、返信することになる。すなわち、着信の後に受信者自身による呼出し回数確認操作を行うことができるため、着信→返信の一連操作が無意識に安易になされることは回避することができる。
【００１５】
図２（ａ）（ｂ）は、本発明の第２の実施形態の構成を示す図である。着信呼出し信号（１０）、呼出し回数積算・記憶部（１１）、呼出し回数確認操作部（１２）までは図１と同一である。本例にあっては、呼出し回数確認操作が実行されると、呼出し回数に対応する携帯電話機（１５）の照光式押しボタンの番号を点灯もしくは点滅表示させることにより押しボタン点灯部（１６）が機能し、着信時の呼出し回数を視覚的に確認することが可能である。図２（ｂ）の例では、照光式押しボタンの番号「２」が点滅点灯していることを示しており、これにより呼出し回数が２回で切れたことが分かる。
【００１６】
この例によると、携帯電話機の着信音や呼出し回数を音声で通知させることが禁止されているような場所においても、音を発することなく呼出し回数を確認することが可能となる。
【００１７】
図３は本発明の第３の実施形態の構成を示す図である。着信呼出し信号（１０）、呼出し回数積算・記憶部（１１）までは前述と同一である。本例にあっては呼出し回数比較部（１７）を設け、予め受信機側で設定した回数以下かこれを越えた回数かに応じて作動を異ならしめるようにしたものである。本例では、呼出し回数が２回を越え３回あった場合には（ＹＥＳ）、携帯電話機の表示部に通常動作表示（１８）がなされ、悪質な電話でもなくむしろ重要な電話があったと認識して返信動作に移ることができる。
【００１８】
しかしながら、呼出し回数が２回以下の場合には（ＮＯ）、着信履歴確認操作１９がなされると、電話機のバイブレーション機能動作２０が発生しかつ返信不要の旨表示部へ表示する。もしくはバイブレーションか表示の一方とすることもできる。これは、いわゆる悪質なワン切り、あるいは返信を必要としないか返信を望まない重要でない呼出しがなされたものと判断することができる。
【００１９】
図４（ａ）（ｂ）は本発明の第４の実施形態の構成を示す図である。着信呼出し信号（１０）、呼出し回数積算・記憶部（１１）、呼出し回数比較部（１７）までは図３の例と同一であり、予め定めた呼出し回数を越えた呼出しの場合（ＹＥＳ）には通常動作表示（１８）がなされる。
【００２０】
本例の場合には、呼出し回数が２回以下の本来返信してはならないかあるいは返信を希望しない回数の呼出しがあった際に（ＮＯ）、誤って返信操作部（２１）にて返信操作がなされても発信者側に返信がなされないよう、返信発信の可否を問合せる画面（２２）が表示され、返信者はこれを確認のうえ確認操作したうえで通常動作（２３）を実行することができる。
【００２１】
図４（ｂ）には返信発信の可否問合せ図面（２２）を示してあるが、この画面では着信番号（２２ａ）、呼出し回数１回（２２ｂ）、メッセージ「返信を継続していいですか？」（２２ｃ）がそれぞれ表示される。この表示によって、不用意に返信操作をしてしまっても、返信動作へ移る前に着信番号、呼出し回数、返信継続の可否が表示されるので、返信してはいけない着信であると判断できる場合には、返信をすることなく、着信記録を削除するような動作を行うことになる。このようにして、呼出し回数を確認することなく、返信操作を実行してしまっても、実際の返信動作を行う前に返信継続の可否を問い合わせて来るようにしたため、悪質なワン切り着信に返信してしまうようなことは回避され、悪質ではなくとも重要でない着信への返信不要な着信に返信してしまうことは回避することができるようになった。
【００２２】
図５は本発明の第５の実施形態を示す図であるが、着信呼出し信号（１０）、呼出し回数積算・記憶部（１１）、呼出し回数比較部（１７）、返信操作部（２１）までは図４と同一である。本例の場合には返信発信の可否音声問い合わせ部（２２）にて「返信を継続していいですか？」のような音声通知がなされる。この場合も、不用意に返信操作部（２１）にて返信操作を行ってしまっても、実際の返信動作を行う前に音声によって注意を喚起してくれるため、不要な返信を回避できるようになった。
【００２３】
図６は本発明の第６の実施形態を示す図であるが、着信呼出し信号（１０）、呼出し回数積算・記憶部（１１）、呼出し回数比較部（１７）までは図５と同一である。本例にあっては、着信電話の呼出し回数が事前に受信機側で設定した回数に満たない場合であって、ある電話番号をプッシュ（ダイヤル）した場合、予め返信してはならない番号に該当する場合には、実際に返信発信を行う前に可否問合せ段階がある例である。
【００２４】
すなわち、着信電話の呼出し回数が事前に受信機側で設定した回数に満たない場合に返信してはならない番号は、受信機内に登録しておく。悪質なワン切り電話の番号や自分あるいは家族が返信を希望しない返信阻止番号が登録される。
【００２５】
図６において、着信呼出し回数が２回以下の場合であって、その後ある電話番号を電話番号プッシュ（ダイヤル）部（２５）にて実行すると、この番号と上述した返信を希望しない返信阻止番号リスト（２６）を比較する。返信阻止番号リスト（２６）は１乃至多数の番号が登録されている。プッシュ番号と返信阻止番号が一致した場合には、通常の呼出し発信を行わず、発信の可否を問い合わせる画面が一旦割込む。この画面としては、一例として図６（ｂ）に示すように、プッシュ（ダイヤル）番号「ａａａ−ｂｂｂ−ｃｃｃｃ」（２７ａ）、呼出し回数「１」（２７ｂ）、メッセージ「返信を継続しますか？」（２７ｃ）が表示される（２７）。発信者はこの可否問合せ画面（２７）にて返信継続の確認を行い、そのうえで問題なければ通常の電話番号プッシュ（ダイヤル）発信動作を行う（２８）。問題あれば、電話番号プッシュ（ダイヤル）を中止し、接続を回避する。
【００２６】
このようにして、返信者が前例までのように着信電話に対して番号をプッシュすることなく返信動作のみを行うのとは異なり、自ら全ての番号をプッシュして返信発信しようとしても、返信回数が規定回数より少ない場合には、返信阻止番号リスト内にその番号があるか否かを確認するステップが追加される。もし、返信発信しようとする番号が返信阻止番号リストに存在する場合には、発信動作継続の可否を問い合わせてくるので、誤って発信がされる危険を回避することができる。
【００２７】
図７は本発明の第７の実施形態を説明するための図であるが、図６と同一箇所は同一番号にて示し詳細な説明は省略するが、本例にあって異なるところは、図６にあっては返信発信操作の可否問合せが画面表示によりなされたのに対し、図７にあっては、音声メッセージ（２９）によりなされる点である。
【００２８】
【発明の効果】
着信呼出し回数を受信者自身で確認操作を行うことができ、また事前に定めた一定回数以下の着信呼出し回数のときには、受信者が返信発信操作を行ってもそのまま返信されることはなく、返信可否の問い合わせがあるため、不用意に悪質ワン切りなどへの返信が発信されることを防止することができる。また、予めワン切り電話番号や着信があっても返信を希望しない電話番号をリストとして格納しておき、着信呼出し番号と返信阻止番号を比較して、同一番号が組み合わされたときに、返信発信操作可否の問い合わせがあるため、不用意に返信してしまう危険を回避することが可能となった。
【図面の簡単な説明】
【図１】本発明に係わる第１の実施形態の構成を示す図。
【図２】本発明に係わる第２の実施形態の構成を示す図。
【図３】本発明に係わる第３の実施形態の構成を示す図。
【図４】本発明に係わる第４の実施形態の構成を示す図。
【図５】本発明に係わる第５の実施形態の構成を示す図。
【図６】本発明に係わる第６の実施形態の構成を示す図。
【図７】本発明に係わる第７の実施形態の構成を示す図。
【符号の説明】
１１…着信呼出し回数積算・記憶部
１２…呼出し回数確認操作部
１３…音声機能部
１４…呼出し回数音声通知部
１５…電話機
１６…押しボタン点灯部
１７…呼出し回数比較部
１８…通常動作表示部
１９…着信履歴確認操作部
２０…バイブレーション機能動作部
２１…返信操作部
２２、２７…返信発信の可否問い合わせ画面
２４、２９…返信発信の可否音声問い合わせ部
２５…電話番号プッシュ部
２６…返信阻止番号リスト
【図１】
2004080373.tif 000003
【図２】
2004080373.tif 000004
【図３】
2004080373.tif 000005
【図４】
2004080373.tif 000006
【図５】
2004080373.tif 000007
【図６】
2004080373.tif 000008
【図７】
2004080373.tif 000009